(57)【要約】【課題】  スキャンした画像に対して電子署名を実施する前にスキャン画像のプレビュー表示を可能にし、判読性が悪い場合は、プレビューした状態で、正立補正、濃度補正などの画像処理を行い画像補正処理の属性情報を付加してタイムスタンプの付加、電子署名を行うことができる画像読取装置および画像読取装置における電子署名方法および電子署名プログラムを提供する。【解決手段】  スキャナ１は、文書読取部７にて読み取った文書１８のスキャン画像９を操作パネル１９の表示部２２にプレビュー表示し、補正指示操作を検知した場合、スキャナ制御部２の画像処理部４にて、スキャン画像９に対する正立補正、濃度補正を行った補正後スキャン画像１６を作成して、スキャン日時１０、画像補正記録属性１７を付加したのち、電子署名を行って電子署名１１を付加してスキャナ記憶部８に格納する。【選択図】  図１
2007174336.tif 000002
【特許請求の範囲】
【請求項１】
原稿を読み取りスキャン画像を生成する画像読取装置において、
前記原稿を読み取ってスキャンした日時に関する情報を前記スキャン画像に付加して蓄積する蓄積手段と、
前記蓄積手段により蓄積されたスキャン画像をプレビュー表示するスキャン画像確認手段と、
前記スキャン画像確認手段によりプレビューしたスキャン画像への電子署名指示を受け付ける署名受付手段と、
前記署名受付手段により受け付けた電子署名指示に基づき該当するスキャン画像に電子署名を付加する署名手段と
を具備することを特徴とする画像読取装置。
【請求項２】
前記蓄積手段により蓄積されたスキャン画像に対する補正指示を受け付ける補正受付手段と、
前記補正受付手段により受け付けた補正指示に基づき前記蓄積手段により蓄積された該当スキャン画像に対して画像補正を行って補正スキャン画像を生成する画像補正手段と、
前記画像補正手段により画像補正した前記補正スキャン画像に対して画像補正した内容を示す補正情報を付加する画像補正情報付加手段と
をさらに具備し、
前記電子署名手段は、
前記署名受付手段により前記電子署名指示を受け付けた場合に、前記画像補正情報付加手段で補正情報を付加した補正スキャン画像に前記電子署名を付加する
ことを特徴とする請求項１記載の画像読取装置。
【請求項３】
前記電子署名手段は、
前記電子署名を行う日時と前記スキャン画像をスキャンした日時との時間差が所定の範囲内であるか否かを判定する時間差判定手段
をさらに具備し、
前記時間差判定手段により所定の範囲外であると判定した場合は前記電子署名手段による電子署名を禁止する
ことを特徴とする請求項１記載の画像読取装置。
【請求項４】
原稿を読み取りスキャン画像を生成する画像読取装置における電子署名方法おいて、
前記原稿を読み取ってスキャンした日時に関する情報を前記スキャン画像に付加して蓄積手段により蓄積し、
前記蓄積手段により蓄積されたスキャン画像をスキャン画像確認手段によりプレビュー表示し、
前記スキャン画像確認手段によりプレビューしたスキャン画像への電子署名指示を署名受付手段により受け付け、
前記署名受付手段により受け付けた電子署名指示に基づき該当するスキャン画像に電子署名を電子署名手段により付加する
ことを特徴とする画像読取装置における電子署名方法。
【請求項５】
原稿を読み取りスキャン画像を生成する画像読取装置における電子署名処理をコンピュータにより実行させる電子署名プログラムであって、
前記原稿を読み取ってスキャンした日時に関する情報を前記スキャン画像に付加して蓄積する第１のステップと、
前記第１のステップにより蓄積されたスキャン画像をプレビュー表示する第２のステップと、
前記第２のステップによりプレビューしたスキャン画像への電子署名指示を受け付ける第３のステップと、
前記第３のステップにより受け付けた電子署名指示に基づき該当するスキャン画像に電子署名を付加する第４のステップと
を含むことを特徴とする電子署名プログラム。
【請求項６】
前記第１のステップにより蓄積されたスキャン画像に対する補正指示を受け付ける第５のステップと、
前記第５のステップで受け付けた補正指示に基づき前記第１のステップにより蓄積された該当スキャン画像に対して画像補正を行った補正スキャン画像を生成する第６のステップと、
前記第６のステップにより画像補正した前記補正スキャン画像に対して画像補正した内容を示す補正情報を付加する第７のステップと、
前記第３のステップにより前記電子署名指示を受け付けた場合に、前記第７のステップで補正情報を付加した補正スキャン画像に前記電子署名を付加する第８のステップと
を含むことを特徴とする請求項５記載の電子署名プログラム。
【発明の詳細な説明】
【技術分野】
【０００１】
本発明は、画像読取装置および画像読取装置における電子署名方法および電子署名プログラムに関し、スキャン文書に電子署名、タイムスタンプを付加した電子文書を作成する技術に関する。
【背景技術】
【０００２】
従来、文書を電子化する際の電子署名を行う技術として、特許文献１に記載された『文書の電子署名可能な画像形成装置、データ処理装置及び文書の電子署名システム』が開示されている。
【０００３】
上記特許文献１の発明は、文書をスキャンしその場で文書電子署名を行うとともに、セキュリティ性の高い文書の電子署名可能な画像形成装置を提供することを目的とし、スキャンした画像に、ＵＳＢトークンの秘密鍵を用いて電子署名を即時に行う画像形成装置である。
【０００４】
さらに、平成十七年四月一日から施行されたｅ−文書法（正式には『民間事業者等が行う書面の保存等における情報通信の技術の利用に関する法律』）によって、公証性を要する文書の電子化が可能になる一方で、その作成の際は、前記スキャナによる機器署名、および、前記特許文献１の技術を利用して、タイムスタンプを付加する必要がある。
【０００５】
さらに、このタイムスタンプ処理は、一般に、有料でありタイムスタンプ処理を実施する毎に課金される。
【特許文献１】特開２００３−２４４１３９号
【発明の開示】
【発明が解決しようとする課題】
【０００６】
ｅ−文書法によって認められた税務関連書類などの電子化作業は、従来、スキャナから読み取った画像データをスキャナに接続されたＰＣの画像処理ソフトにて表示して確認し、署名する権限を持ったオペレータが公的な認証機関から取得した公開鍵証明書に基づいて電子署名を行っていた。
【０００７】
しかし、ＰＣ上にてスキャンした画像に対して、署名する権限を持ったオペレータは、何回でも電子署名を行うことが可能であり、スキャンした文書画像を改ざんすることが可能である。
【０００８】
このためスキャン操作から電子署名を行うまでの間、スキャンした画像をユーザが編集できないようスキャナ単体にて処理することが要求される。
【０００９】
スキャナで文書を読み取った場合、その判読性は、常に満足するものであるとはかぎらず、画像の向き、濃度が適切でなく判読性が悪い場合もある。
【００１０】
したがって、スキャンした画像にタイムスタンプおよび電子署名の付加処理を無条件に実施してしまうと、判読性の悪いスキャン画像の場合は、文書の読取操作からやりなおさなくてはならず署名操作の無駄、タイムスタンプの付加処理に課金された費用の無駄が生じるといった問題がある。
【００１１】
また、スキャン操作を実施した後の電子署名、タイムスタンプの付加を行うまでの間、電源断等の装置異常が発生して、装置異常から復旧後に電子署名やタイムスタンプの付加が行われた場合には、文書をスキャンした日時と、スキャンした画像に対する電子署名、タイムスタンプを付加した日時が大幅にずれてしまうといった問題が生じた。
【００１２】
したがって、本発明は、スキャンした画像に対して電子署名を施す前にスキャンした画像のプレビュー表示を行い、判読性が悪い場合は、ユーザがプレビューした状態で、スキャンした画像の正立補正、濃度補正を行い、補正した画像データに画像補正処理の属性情報を付加してからタイムスタンプの付加、電子署名をすることができる画像読取装置および画像読取装置における電子署名方法および電子署名プログラムを提供することを目的とする。
【００１３】
また、本発明は、オペレータの故意あるいは故意でない装置障害などによって、文書をスキャンした日時と、スキャンした画像に対する電子署名、タイムスタンプを付加した日時が大幅にずれてしまう場合に、電子署名やタイムスタンプの付加を禁止して、内部時計の変更等による不正なタイムシフトによるスキャン画像への署名を防止可能な画像読取装置および画像読取装置における電子署名方法および電子署名プログラムを提供することを目的とする。
【課題を解決するための手段】
【００１４】
上記問題点を解決するために、請求項１の発明は、原稿を読み取りスキャン画像を生成する画像読取装置において、原稿を読み取ってスキャンした日時に関する情報をスキャン画像に付加して蓄積する蓄積手段と、蓄積手段により蓄積されたスキャン画像をプレビュー表示するスキャン画像確認手段と、スキャン画像確認手段によりプレビューしたスキャン画像への電子署名指示を受け付ける署名受付手段と、署名受付手段により受け付けた電子署名指示に基づき該当するスキャン画像に電子署名を付加する署名手段とを具備することを特徴とする。
【００１５】
また、請求項２の発明は、請求項１の発明において、蓄積手段により蓄積されたスキャン画像に対する補正指示を受け付ける補正受付手段と、補正受付手段により受け付けた補正指示に基づき蓄積手段により蓄積された該当スキャン画像に対して画像補正を行って補正スキャン画像を生成する画像補正手段と、画像補正手段により画像補正した補正スキャン画像に対して画像補正した内容を示す補正情報を付加する画像補正情報付加手段とをさらに具備し、電子署名手段は、署名受付手段により電子署名指示を受け付けた場合に、画像補正情報付加手段で補正情報を付加した補正スキャン画像に電子署名を付加することを特徴とする。
【００１６】
また、請求項３の発明は、請求項１の発明において、電子署名手段は、電子署名を行う日時とスキャン画像をスキャンした日時との時間差が所定の範囲内であるか否かを判定する時間差判定手段とをさらに具備し、時間差判定手段により所定の範囲外であると判定した場合は電子署名手段による電子署名を禁止することを特徴とする。
【００１７】
また、請求項４の発明は、原稿を読み取りスキャン画像を生成する画像読取装置における電子署名方法おいて、原稿を読み取ってスキャンした日時に関する情報をスキャン画像に付加して蓄積手段により蓄積し、蓄積手段により蓄積されたスキャン画像をスキャン画像確認手段によりプレビュー表示し、スキャン画像確認手段によりプレビューしたスキャン画像への電子署名指示を署名受付手段により受け付け、署名受付手段により受け付けた電子署名指示に基づき該当するスキャン画像に電子署名を電子署名手段により付加することを特徴とする。
【００１８】
また、請求項５の発明は、原稿を読み取りスキャン画像を生成する画像読取装置における電子署名処理をコンピュータにより実行させる電子署名プログラムであって、原稿を読み取ってスキャンした日時に関する情報をスキャン画像に付加して蓄積する第１のステップと、第１のステップにより蓄積されたスキャン画像をプレビュー表示する第２のステップと、第２のステップによりプレビューしたスキャン画像への電子署名指示を受け付ける第３のステップと、第３のステップにより受け付けた電子署名指示に基づき該当するスキャン画像に電子署名を付加する第４のステップとを含むことを特徴とする。
【００１９】
また、請求項６の発明は、請求項５の発明において、第１のステップにより蓄積されたスキャン画像に対する補正指示を受け付ける第５のステップと、第５のステップで受け付けた補正指示に基づき第１のステップにより蓄積された該当スキャン画像に対して画像補正を行った補正スキャン画像を生成する第６のステップと、第６のステップにより画像補正した補正スキャン画像に対して画像補正した内容を示す補正情報を付加する第７のステップと、第３のステップにより電子署名指示を受け付けた場合に、第７のステップで補正情報を付加した補正スキャン画像に電子署名を付加する第８のステップとを含むことを特徴とする。
【発明の効果】
【００２０】
本願発明の画像読取装置および画像読取装置における電子署名方法および電子署名プログラムによれば、原稿のスキャン処理から電子署名までを、スキャナ単体にて一括処理するので、スキャン文書が改ざんされるリスクを低減することができる。
【００２１】
電子署名を行う場合に、スキャナが原稿をスキャンした時点の情報を電子文書に付加し  さらに、スキャンした画像をプレビューして確認して署名するので、スキャンした画像への無駄な電子署名を行う操作を無くすことができる。
【００２２】
さらに、プレビュー後にスキャンした画像を補正することがあっても、補正したときの属性情報と、スキャンした時点の情報を付加するので、電子署名の遅れがあった場合には、その原因を把握することができる。
【００２３】
さらに、原稿をスキャンしたスキャン日時と署名日時の間に著しい差がある場合は、電子署名を禁止することができるので、補正が無いにもかかわらず故意にスキャン日時から署名日時を必要以上に遅らせるなどの不正行為を防止することができる。
【発明を実施するための最良の形態】
【００２４】
本発明の画像読取装置および画像読取装置における電子署名方法および電子署名プログラムの実施の形態について、添付図面を参照しながら説明する。
【００２５】
図１は、本願発明の画像読取装置を適用したスキャナ１の内部構成と、スキャナ１を含む電子署名システムの構成例を示すブロック図である。
【００２６】
スキャナ１は、スキャナ１１全体を制御するスキャナ制御部２が、文書読取部７、操作パネル１９、スキャナ記憶部８を接続した構成にて制御されることによって、文書１８を読スキャンしたスキャン画像９にスキャン処理を行った日時の情報を付加するタイムスタンプ機能と、電子署名１１を付加する電子署名機能と、スキャン画像９を操作パネル１９の表示部２２に出力するともに、スキャン画像９のセンタ位置補正、正立補正、濃度補正を行ってから電子署名１１、タイムスタンプを付加する補正機能を伴う電子署名機能を提供する。
【００２７】
スキャナ制御部２にて提供される機能ブロックには、スキャンしたスキャン画像９に対してオペレータの個人署名、あるいは、スキャナ１に対して発行された秘密鍵にて電子署名行う電子署名処理部３、文書読取部７にて読み取られた文書１８のスキャン画像９に対するセンタ位置補正、正立補正、濃度補正を行う画像処理部４、スキャン画像９のプレビューを操作パネル１９の表示部２２に出力するプレビュー表示制御部５、ネットワーク２４を介して接続されたタイムスタンプ局であるＴＳＡ２５からタイムスタンプトークンの取得処理を、タイムスタンププロトコルによるデータ通信制御を行う通信制御部６を具備する。
【００２８】
スキャナ記憶部８は、電子署名を行う場合の秘密鍵とこれに対応する公開鍵証明書の情報を記憶する証明書データベース１２と、スキャン操作実施後にプレビュー表示を行ったスキャン画像９に電子署名を行うまでの処理時間の差に対する許容範囲（時間）を設定した署名処理可能期間１３、画像処理部４によって、スキャン画像９に対する正立補正、濃度補正を行った補正後スキャン画像１６を一時的に記憶する画像処理用記憶領域１４を有する。
【００２９】
スキャンした文書に対する電子署名１１は、スキャナ１に設定された電子署名用の秘密鍵を使用したデバイス署名、あるいは、スキャナに接続されたＩＣカードリーダにてユーザのＩＣカードを読み取って署名する個人署名のいずれかを選択することが可能である。
【００３０】
また、スキャン日時１０としてＴＳＡ２５から取得したタイムスタンプトークンを付加し、文書１８のスキャン操作を行った利用者による電子署名を行う。
【００３１】
さらに、電子化したスキャン画像にする、センタ位置補正、正立補正、濃度補正が行われた場合は、その補正処理が施されたスキャン画像９に対して、補正処理の種類、画像補正の処理内容を示す画像補正記録属性１７を付加する。
【００３２】
スキャン日時１０は、スキャナ１の内部時計（図示せず）から取得した日時を記録する。スキャナ１の内部時計は、さらに、ＮＴＰなどの時刻同期プロトコルを使って、定期的に時刻サーバーに時刻を問い合わせて内部時計を補正し、正確性を維持するようにすることも可能である。
【００３３】
画像補正記録属性１７は、スキャン画像９に対する補正処理の内容を示す情報であり、補正の種類（センタ位置補正、正立補正、濃度補正）と、補正処理において選択されたパラメータの情報、補正処理の日時、オペレータの情報、補正処理を行ったスキャナ１の機器情報などが記録される。
【００３４】
次に、スキャナ１における電子署名処理の動作を図２のフローチャートに示して説明する。
【００３５】
文書読取部７は、文書１８をスキャンしたスキャン画像９を制御部１１に出力する。
【００３６】
スキャナ１は、文書１８のスキャンが行われると、文書読取部７にて読み取られたスキャン画像９にスキャン日時１０を付加してスキャナ記憶部８に蓄積する（Ｓ１０１）。
【００３７】
次、スキャン画像９を操作パネル１９の表示部２２、例えば、図３の３１に示すようなプレビュー表示する（Ｓ１０２）
図３の３１の画面にて画像補正ボタンを押下して表示される図３の３２に示す画面にて画像補正指示操作を操作パネルにて検知すると（Ｓ１０３ＹＥＳ）、スキャナ１は、指定された画像の補正方法にてスキャン画像９を補正した修正して、補正後スキャン画像１６を作成し、画像補正記録属性１７を作成して補正後スキャン画像１６に付加する（Ｓ１０４）。
【００３８】
オペレータによる署名指示操作を、操作パネル１９の表示部２２に表示される例えば、図３の３１、あるいは、図３の３３に示すようなスキャンした画像、補正したスキャン画像のプレビュー表示が行われた状態にて署名開始ボタンの押下を検知すると（Ｓ１０５ＹＥＳ）、スキャナ１は、ステップＳ１０１にて付加したスキャン日時１０と、電子署名１１の署名日時との時間差が、スキャナ記憶部８に記憶して管理される署名処理可能期間１３の値の範囲内であるか否かを判断する（Ｓ１０６）。
【００３９】
署名処理可能期間の許容範囲内である場合（Ｓ１０６ＹＥＳ）、スキャナ１は、補正後スキャン画像16にスキャン日時１０や画像補正記録属性１７が付加されたデータに、電子署名１１を付加し、電子署名の結果として例えば、図３の３４に示す画面を操作パネル１９の表示部２２に表示する（Ｓ１０７）。
【００４０】
一方、スキャン日時１０と、現在時刻との時間差が、署名処理可能期間１３を超えた場合（Ｓ１０６ＮＯ）、電子署名やタイムスタンプ付加を禁止してその旨を通知する。例えば図３の３５に示すエラー画面を操作パネル１９の表示部２２に出力して、スキャン処理を終了する（Ｓ１０８）。
【産業上の利用可能性】
【００４１】
本発明の画像読取装置および画像読取装置における電子署名方法および電子署名プログラムは、公証性が要求される電子文書の作成に利用可能であって、特に、スキャンした文書に、電子署名、タイムスタンプを付加し、判読性の低いスキャンした画像に対して、センタ位置補正、正立補正、濃度補正等の判読性を向上させる画像処理が必要な場合に有効である。
【図面の簡単な説明】
【００４２】
【図１】本願発明の画像読取装置を適用したスキャナの内部構成と、スキャナ含む電子署名システムの構成例を示すブロック図。
【図２】スキャンした文書の電子化処理の動作を示すフローチャート。
【図３】操作パネルに表示されるスキャン画像のプレビュー画面、補正処理の操作メニュー、補正したスキャン画面の処理結果画面、署名結果表示画面、エラー表示画面の例を示す図。
【符号の説明】
【００４３】
１  スキャナ
２  スキャナ制御部
３  電子署名処理部
４  画像処理部
５  プレビュー表示制御部
６  通信制御部
７  文書読取部
８  スキャナ記憶部
９  スキャン画像
１０  スキャン日時
１１  電子署名
１２  証明書データベース
１３  署名処理可能期間
１４  画像処理用記憶領域
１６  補正後スキャン画像
１７  画像補正記録属性
１８  文書
１９  操作パネル
２２  表示部
２３  操作ボタン
２４  ネットワーク  
２５  ＴＳＡ
３１  スキャン結果プレビュー表示画面
３２  スキャン画像補正処理メニュー画面
３３  スキャン画像補正結果表示画面
３４  スキャン画像署名処理結果表示画面
３５  エラー表示画面
【図１】
2007174336.tif 000003
【図２】
2007174336.tif 000004
【図３】
2007174336.tif 000005